(57)【要約】【課題】生ごみ処理機を不特定多数の使用を避ける為、鍵で管理する方法が取られていたが、鍵穴に鍵をさして投入口を開けることが老人、子供には簡単ではなかった。【解決手段】鍵を使用した投入口の施錠と開錠を、ソレノイドとＩＣカードリーダを具備することで、ＩＣカードリーダにＩＣカードをかざすだけでＩＣカードＩＤを読取り、予め登録されたＩＤか否かを判定し、登録されたＩＤであればソレノイドを作動させ投入口の施錠状態を開錠することで老人や子供でも簡単に操作できる生ごみ処理機を提供することにある。【選択図】図１
2016165705.tif 000002
【特許請求の範囲】
【請求項１】
生ごみを分解処理する生ごみ処理機において、投入口を閉じたときに施錠するソレノイドと電子カード読取り部を具備し、電子カードが電子カード読取り部にかざされると、該電子カード読取り部において電子カードＩＤを読取り、予め登録された電子カードＩＤか否かを判定し、登録された電子カードＩＤであれば、投入口のソレノイドを作動させ施錠された投入口を開錠することを特徴とした生ごみ処理機。
【請求項２】
請求項１の生ごみ処理機において、投入口のソレノイドの施錠を開錠する時間を予め定めたことを特徴とした生ごみ処理機。
【請求項３】
請求項２の生ごみ処理機において、ＩＣカード読取り部で読取ったＩＣカードＩＤを、予め設定されたインターネット上のサーバーに無線ルータを通し、送信することを特徴とした請求項１の生ごみ処理機。
【発明の詳細な説明】
【技術分野】
【０００１】  自治体やマンション等で多数の人数で使用する、生ごみ処理機の管理に関するものである。
【背景技術】
【０００２】  生ごみは、他のゴミに比べ水分量が多く輸送、焼却にかかるコストが大きいため、その処分は、自治体の大きな課題で、その課題を解決する為、ゴミ置き場のスペースを利用した１０所帯から２０所帯が２４時間いつでも利用できる生ごみ処理機の導入を検討している自治体が増えているが、不特定多数の使用を避けるため、生ごみ処理機の投入口に鍵を掛け使用者全員に鍵を配り、鍵を持っている者しか使用できないようにしていた。【０００３】  図２は従来の生ごみ処理機で鍵穴３を有し、投入蓋２は鍵穴３に鍵を挿し、その鍵を開けることで施錠された投入口を開錠し、投入棒４を握って上に投入蓋２を上げることで投入口２が開くことで、投入口から生ごみを投入していた。
【発明の概要】
【発明が解決しようとする課題】
【０００４】  共同で使用する生ごみ処理機は不特定多数に使用されるのを防ぐため、投入口に鍵を取り付け、鍵を持っている者以外は使用できないようにしていた。しかし、老人や小さな子供は鍵穴に鍵を差込むことが簡単ではなく、利用者は少なかった。
【課題を解決するための手段】
【０００５】  本発明は、鍵に変えてソレノイドにより施錠された投入口の開錠を、電子カード読取り部に電子カードをかざすだけで鍵による管理から電子カードによる管理に変更するものである。
【発明の効果】
【０００６】  本発明の生ごみ処理機は、予め登録された電子カードを電子カードリーダにかざすと、該電子カード読取り部は、電子カードのＩＤを読取るとともに、メモリーに記憶された予め登録されたＩＤと照合し、登録されたＩＤであれば、ソレノイドを作動し投入口のロックを解除する。投入口のロックが解除している間は投入棒４を持ち上げ投入口を開けることができる。老人や小さな子供でも簡単に使用できることを主要な特徴とした生ごみ処理機である。【０００７】  また、その他の効果としては、読取った電子カードＩＤを通信回路経由で、ＷｉＦｉルータに送り、ＷｉＦｉルータからインターネット上のサーバーに送ることで使用者の管理が簡単にできる。
【図面の簡単な説明】
【０００８】
【図１】この発明の一実施例による生ごみ処理機の外観を示す斜視図である。
【図２】従来の生ごみ処理機の外観を示す斜視図である。
【図３】本発明の投入蓋を閉じた状態を横から見た図である。
【図４】本発明の投入蓋を開けた状態を横から見た図である。
【図５】本発明の電気的構成図である。
【図６】本発明のサーバーのデータ処理による管理表
【発明を実施するための形態】
【０００９】  本発明の実施について、図面に沿って具体的に説明する。本発明による生ごみ処理機は、図１に示すように、生ごみ投入蓋２と開閉棒４、保守扉５、運転ランプ６、異常ランプ７、ＩＣカードリーダ８と図３で示す投入口施錠部９、ソレノイド１０から構成されている。
【００１０】  図３は、本発明の投入蓋２を閉じた状態を横から見た図で、生ごみ投入蓋２に取付けられた投入口施錠部９の穴にソレノイド１０のラッチが挿入することでロックされ投入蓋２が施錠される。
【００１１】  図４は、本発明の投入蓋２を開けた状態を横から見た図で、ソレノイド１０が作動し生ごみ投入蓋２に取付けられた投入口施錠部９の穴を、ソレノイド１０のラッチが引込むことで、ロックが外れ開閉捧４を押し上げ投入口を開けることが出来る。
【００１２】  図５は、本発明の電気的構成図で生ゴミ処理機を全体を制御する制御回部２１、駆動回路２２、生ごみを攪拌する攪拌モータ２３、攪拌槽を設定温度に保温する槽ヒータ２４、攪拌槽に新しい酸素を入れるとともに排気をする排気ファン２５、排気に含まれる臭いを分解するオゾン発生器２６、投入蓋２の施錠と開錠にソレノイド１０、運転ランプ６、異常ランプ７は表示ランプ２７、槽内の温度はヒータ温度２８で検出し制御部２１が槽ヒータ２４を制御する。
【００１３】  投入口センサ１１は投入蓋２に取付けられた近接センサ１１ａの有無で投入蓋２の開閉を検出する。保守扉センサ１２は保守扉の開閉を投入口センサ１１と同様に近接センサ１２ａの有無を検出することで、保守扉の開閉を検出する。
【００１４】  排気フィルタの目詰まりを検出する風量センサ３０、環境温度センサ３１、臭いセンサ３３、ＩＣカードリーダ８、予め登録したＩＤを記憶する登録ＩＤメモリ３２、通信回路３５は制御部２１に接続されたＲＳ−４８５−２９にＲＳ−４８５で接続され、制御部２１とマルチドロップで通信する。また、通信回路３５は、無線ルータ３６に接続されインターネット上のサーバーと接続する。
【実施例】
【００１５】  本発明の実施例について、図１の生ごみ処理機の外観を示す斜視図と図３の投入蓋を閉じた状態を横から見た図、図４の投入蓋を開けた状態を横から見た図、図５の電気的構成図を用いて説明する。【００１６】  ＩＣカードをＩＣカードリーダ８にかざしたすと、図５の電気的構成図ＩＣカードリーダ８はかざされたＩＣカードのＩＤを読取り、予め登録されたＩＣカードＩＤを記憶したＩＤ登録ＩＤメモリ３２のＩＤと照合し、登録ＩＤと確認されるとＩＣカードリーダ８はソレノイド駆動信号４０を制御部２１と駆動回路２２に送ると同時にソレノイド保護用のタイマーをスタートさせる。【００１７】  駆動回路２２は、図３のソレノイド１０の施錠状態から図４のソレノイド１０は開錠状態となる。しかし、予め定めた時間を越えても投入蓋２を開けない場合、ＩＣカードリーダ８はソレノイド駆動信号４０の送信と同時に予め定めた時間を設定したタイマーの動作により、ソレノイド駆動信号４０をオフにすることでソレノイド１０を保護している。【００１８】  投入蓋２が開錠され投入捧４で開けられると投入口センサ１１と近接センサ１１ａがオフになり、制御部２１からＩＣカードリーダ８に投入口センサのオフ信号４１が送られ、ＩＣカードソーダ８はソレノイド駆動信号４０をオンからオフに移行し、ソレノイド１０はオフとなって図３の状態に戻る。【００１９】  投入捧４を下に押し投入蓋２を閉めると、ソレノイド１０は、駆動回路がオフ状態なので投入口施錠部９によりラッチが引込み、投入口施錠部９の穴にラッチが入ることで施錠される。【００２０】  ＩＣカードリーダ８に読込まれたＩＣカードＩＤは、登録ＩＤメモリ３２で照合され、登録ＩＤと確認されると、ソレノイド駆動信号４０を駆動回路２２と制御部２２に同時に送出する。【００２１】  ソレノイド駆動信号４０を受信した制御部２１は、ＲＳ−４８５−２９を通してＩＣカードリーダ８へＩＣカードＩＤを要求する。ＩＣカードリーダ８は登録ＩＤと確認されたＩＣカードＩＤを制御部２２に送信する。【００２２】  ＩＣカードＩＤを受信した制御部２２は、ＲＳ−４８５−２９を通して通信回路３５へ受信したＩＣカードＩＤと生ごみ処理機に予め決められた機器番号を送信する。通信回路３５は受信したＩＣカードＩＤと機器番号を無線ルータ３６を経由し、インターネット上のサーバーに送信する。【００２３】  インターネット上のサーバーは、受信したＩＣカードＩＤと機器番号と受信した日時で受信処理、データ表示処理により管理表図６を作成し、外部からパソコン、タブレット、スマートフォンを利用して利用状況の確認が簡単に出来る特徴を有している。
【符号の説明】
【００２４】  〔図１〕、〔図２〕、〔図３〕、〔図４〕の図面中、
１  生ごみ処理機
２  投入口蓋
３  鍵穴
４  開閉棒
５  保守用扉
６，２７  運転ランプ
７，２７  異常ランプ
８  ＩＣカードリーダ
９  投入口施錠部
１０    ソレノイド
１１    投入口センサ
１１ａ  マグネット部１
１２    保守扉センサ
１２ａ  マグネット部２
【図１】
2016165705.tif 000003
【図２】
2016165705.tif 000004
【図３】
2016165705.tif 000005
【図４】
2016165705.tif 000006
【図５】
2016165705.tif 000007
【図６】
2016165705.tif 000008